(57)【要約】 【課題】  従来周知のヘッドホンで音楽を聴き同時に芳香が楽しむことができ、時・場所を選ばず、かつ周囲に影響を与えることなく、鼻孔及び口腔部付近を効率よく、個別の芳香を感受することのできる芳香発生装置を提供するものである。【解決手段】  円盤状耳介覆い型ハンガー部を有する耳介設置部と、前記耳介設置部から可動式フレキを有する杆状支持部と、前記杆状支持部の先端に配置され、鼻孔及び口腔部付近を自在に移動を可能にした芳香発生部を有することを特徴とした芳香発生装置であり、簡易に装着が可能で、微量で効率よく芳香されるため、芳香成分の無駄がなく、他人に不快感をあたえることが軽減される。前記耳介設置部に電源を配置し、前記耳介設置部から配線を通す杆状支持部の先端に熱源を設けた芳香発生部を加える構造もでき、筐体内の電源が配線を介して耳介設置部に設ける構造もできる。【選択図】  図１
2006026421.tif 000002
【特許請求の範囲】
【請求項１】
円盤状耳介覆い型ハンガー部を有する耳介設置部と、前記耳介設置部から可動式フレキを有する杆状支持部と、前記杆状支持部の先端に配置され、鼻孔及び口腔部付近を自在に移動を可能にした芳香発生部を有することを特徴とした芳香発生装置。
【請求項２】
請求項１記載の芳香発生装置において、前記耳介設置部に電源を配置し、前記耳介設置部から配線を通す杆状支持部の先端に熱源を設けた芳香発生部を有することを特徴とする芳香発生装置。
【請求項３】
請求項１又は２記載の芳香発生装置において、筐体内の電源が配線を介して耳介設置部に設けられたことを特徴とする芳香発生装置。
【請求項４】
請求項1から3のいずれか１項に記載の芳香発生装置において、電源と熱源と芳香発生部を備えた筐体の芳香発生部が管を介して杆状支持部の先端に設けた放出部に連通されたことを特徴とする芳香発生装置。
【請求項５】
請求項1から４のいずれか１項に記載の芳香発生装置において、耳介設置部に従来周知のスピーカー機能を内蔵する円盤状耳介覆い型ハンガー部を設けたことを特徴とする芳香発生装置。
【請求項６】
請求項１から５のいずれか１項に記載の芳香発生装置において、耳介設置部の上に弾性体で形成された頭部装着部を設けたことを特徴とする芳香発生装置。
【請求項７】
請求項１記載の芳香発生装置において、耳介設置部に替えて、クリップ状の止め具を設けたことを特徴とする芳香発生装置。          
【発明の詳細な説明】
【技術分野】
【０００１】
本発明は従来周知のヘッドホンで音楽を聴き同時に芳香が楽しむことができ、時・場所を選ばず、かつ周囲に影響を与えることなく、鼻孔及び口腔部付近を効率よく、個別の芳香を感受することのできる芳香発生装置に関するものである。
【背景技術】
【０００２】
現代社会はストレスなど生活において多種の問題提議がされているが、音楽を聴くことで安らぎをもとめるなど、リラックスやリフレッシュなどを促進する一つの材料として芳香が重要視され、芳香成分を嗅ぐことによる生理作用や薬用作用が生活や仕事の場においても活用され、様々な効果が現れ、前記の流れの中で、生活全般に香りの文化が日常生活に定着し、芳香器も多種多様化している。
【０００３】
ヘッドホン使用時に音楽に合った香りを放出し得る香りのカセットを、前記ヘッドホンに交換自在に取付けることを特徴とした芳香器について記載されている。（例えば、特許文献1参照）
【特許文献１】実開平５−９７１９６号公報
【発明の開示】
【発明が解決しようとする課題】
【０００４】
特許文献1において、芳香器の特性が耳介部であるため気化した芳香成分が上昇し、鼻孔及び口腔部付近を効率よく届かず、芳香成分の無駄が生じ、芳香の持つ効果である嗅ぐことによる、生理作用や薬用作用をもたらす芳香成分の有効性が十分活用されない。  
【課題を解決するための手段】
【０００５】
本発明に係る芳香発生装置は、円盤状耳介覆い型ハンガー部を有する耳介設置部と、前記耳介設置部から可動式フレキを有する杆状支持部と、前記杆状支持部の先端に鼻孔及び口腔部付近を自在に移動を可能にした芳香発生部が設けられ、微量で鼻孔及び口腔部付近に効率よく芳香され、格納された芳香源が開閉装置により量の調整ができ、気化し上昇した芳香成分を嗅ぐことにより、上記目的が達成され、格納された芳香源は目的に応じて入れ替える事ができる。
【０００６】
前記に加えて、前記耳介設置部にボタン電池などの電源を内蔵し、前記耳介設置部から配線を通す杆状支持部の先端に熱源を設け、前記熱源により芳香源が揮発し上昇する芳香発生部を設ける構造もできる。
【０００７】
また、電池ボックスなどの筐体内の電源が配線を介して耳介設置部に設けられ、前記同様に配線され杆状支持部の先端に設けられた熱源により芳香源が揮発し上昇する芳香発生部をもうける構造もできる。
【０００８】
それらに加えて、筐体内に電源と熱源と芳香源を具備し、前記熱源によって揮発した芳香成分が管を介して杆状支持部の先端に設けられた芳香放出部より上昇する構造もできる。      
【０００９】
前記記載の解決手段において、音楽を聴き同時に目的、嗜好に合った芳香を感受するため、耳介設置部に従来周知のスピーカー機能を内蔵する円盤状耳介覆い型ハンガー部を設け、前記同様の構成をする芳香発生装置を設ける事ができる。
【００１０】
また、従来周知のスピーカー部に加え、芳香発生装置を安定して装着するため、耳介設置部の上に弾性体で形成された頭部装着部を設ける構造もできる。
【００１１】
簡易芳香発生装置として、前記記載の構造において、耳介設置部を除き、帽子の鍔や眼鏡のフレーム、又はマイクなどに固定できるよう、クリップ状の止め具を設ける構成もできる。          
【発明の効果】
【００１２】
本発明により、芳香を必要とするときに簡易に配置し最適な芳香を選択でき、場所を選ばず他者への芳香による不快感を配慮することなく自由に芳香を提供することができ、仕事や勉強中、運転中又は気分がすぐれないなど生活全般において集中力やリフレッシュ・リラックスタイムなど手軽に所望できるようになった。
【００１３】
また、芳香発生部を鼻孔及び口腔部付近に配置する事により、芳香を嗅ぐことによる、生理作用や薬用作用をもたらす芳香成分のもつ有効性を最大に活用でき、使用する芳香源も無駄がなく使用できるようになった。
【発明を実施するための最良の形態】
【００１４】
以下に本発明の実施の形態を実施例となる図面を参照して具体的に説明する。  
【００１５】
図１に示すように本発明に係る芳香発生装置1４は、円盤状耳介覆い型ハンガー部６と耳介設置部２ａと前記耳介設置部２ａから可動式フレキを有する杆状支持部３ａと、前記杆状支持部３ａの先端に配置され、鼻孔及び口腔部付近を自在に可動できる芳香発生部４ａを有し、前記芳香発生部４ａは 開閉装置をもち芳香の量の調整ができ、格納された芳香源10は目的によって入れ替えることができるものである。
【００１６】
略円弧状で耳介に掛けるハンガー部６は本体を支える構造となり、大きさは100ｍｍ内外とし、耳介設置部2ａは直径50ｍｍ内外の大きさの円盤状が好ましく、身体的に負担のかからない重量である事が必要で材質としてはＡＢＳ樹脂なども好ましい。
【００１７】
可動式フレキとは、形状維持が可能なフレキシブルなチューブ部から構成され、前記可動式フレキを有する杆状支持部3ａは鼻孔及び口腔部付近への移動を簡易にするために、可撓鉄芯を内装し形状維持が可能な状態で屈曲できるように構成され、または金属スパイラル管によって形成される場合もあり、表面は合成樹脂などのカバーを有することが好ましい。
【００１８】
芳香源10はアロマオイルなどの精油を用い、例えば多孔物質や圧縮紙などにしみ込ませたものまたはカセット形状のものを用い入れ替えできるものとし、精油が常温で揮発して上昇する性質を利用し、芳香成分の無駄な浪費を防止するために、鼻孔及び口腔部付近を自在に可動し芳香成分の有効利用を促進するものであり、前記芳香発生部４ａは、筒状容器の一部を切りかいて芳香源10を入れるようにしたもので、部材は、ＰＢ（ポリブタジエン）、ＰＰ（ポリプロプレン）などの耐腐食性のある樹脂を用いて形成することも好ましい。
【００１９】
図２に示すようにこの芳香発生装置1４は、電源５ａはボタン型電池などを耳介設置部２ａに内蔵し、前記電源５ａから配線された電線は、杆状支持部３ｂに接続コードと可撓鉄芯を内装し形状維持が可能な状態で屈曲できるように構成され、表面に合成樹脂などのカバーを有する構造もでき、前記耳介設置部２ａから配線を通し、直通した芳香発生部４ｂ先端にＬＥＤや電球・ニクロム線などの熱源11を用い、前記熱源11により芳香源10が気化し上昇する構造とし、前記芳香発生部４ｂは筒状容器の一部を切りかいて熱源11と芳香源10を入れるようにしたもので、部材は、ＰＢ（ポリブタジエン）、ＰＰ（ポリプロプレン）などの耐腐食性のある樹脂を用いて形成することも好ましく、電源5ａは熱源11により、より多くの芳香量の供給を考慮したものである。
【００２０】
図３に示すようにこの芳香発生装置1４は、電源５ｂから配線された電線は耳介設置部２を通過し、図２同様の杆状支持部３ｂと芳香発生部４ｂの構造を有し、電源５ｂは  電池などを格納する電池ボックスなどの筐体で簡易に持ち運び良くする為軽量で硬質プラスチックなどの合成樹脂を用いることが好ましく電源5ｂから配線される電線は図２と同様な構造などが考えられ使用時の胸ポケットやジャケットのポケット又はバックなどに保持できるよう電線の長さは調整できるような構成とすることが好ましく、電源5ｂはより多くの芳香量の供給と芳香時間の長期使用などを考慮したものである。              
【００２１】
図４に示すように、この芳香発生装置1４は、芳香発生部４ｃは電池５ｂと熱源11と芳香源10を格納する筐体で、図３同様な部材で構成され、芳香源10は熱源11により気化され、管８を介し芳香発生部９より芳香する構造とし、管８は3ｍｍ内外の医療用のチューブなど軟質プラスチックを用いることが好ましく、芳香源10は取替えカセットの容量も多く設定できるため、芳香の長時間使用などを考慮したものであり、図３と同様な使用者の保持場所にあわせた管の長さを調整できるようにすることが好ましい。        
【００２２】
図５に示すように、この芳香発生装置1４は、従来周知のスピーカー機能を内蔵する円盤状耳介覆い型の耳介設置部２ｂを有し前記耳介設置部２ｂはイヤホン端子１２をステレオのなど入力端子に接続することにより音楽を聴き同時に目的に合った芳香が感受できる構造とし、図1から図４のいずれかに係る特徴も兼ねる構造もできる。
【００２３】
図６に示すように、この芳香発生装置1４は、従来周知のスピーカー機能を内蔵する円盤状耳介覆い型の耳介設置部２ｂの上に弾性体で形成された頭部装着部１を有する構造とし、装着の不快感を感じないため弾性体で軟質性のものが好ましく、図１から図５のいずれかに係る特徴も兼ねる構造もできる。
【００２４】
図７に示す芳香発生装置1４は、図１の展開型としてクリップ上の止め具１３を具備したもので帽子の鍔や眼鏡フレーム又はマイクなどに使用するため、固定するクリップの強さを必要とし、内側に軟質樹脂などの弾力物質を使用することも考えられる。
【図面の簡単な説明】
【００２５】
【図１】実施例となる芳香発生装置の正面図である。
【図２】実施例となる芳香発生装置の正面図である。
【図３】実施例となる芳香発生装置の正面図である。
【図４】実施例となる芳香発生装置の正面図である。
【図５】実施例となる芳香発生装置の正面図である。
【図６】実施例となる芳香発生装置の正面図である。
【図７】実施例となる芳香発生装置の正面図である。
【符号の説明】
【００２６】
１    頭部装着部
２a   耳介設置部
２ｂ   耳介設置部
３ａ  杆状支持部
３ｂ  杆状支持部
３ｃ  杆状支持部
４ａ  芳香発生部
４ｂ  芳香発生部
４ｃ  芳香発生部
５ａ  電源
５ｂ  電源
６    ハンガー部
７    配線
８    管
９    芳香放出部
１０  芳香源
１１  熱源
１２  イヤホン端子
１３  取り付け用クリップ
１４  芳香発生装置
【図１】
2006026421.tif 000003
【図２】
2006026421.tif 000004
【図３】
2006026421.tif 000005
【図４】
2006026421.tif 000006
【図５】
2006026421.tif 000007
【図６】
2006026421.tif 000008
【図７】
2006026421.tif 000009